(57)【要約】【課題】通路管のための振動ダンパおよび振動抑制方法を提供する。【解決手段】ダンパは、収容室、および収容室に隣接している細長開口を区画形成する柔軟な本体を有する。本体は、第１形態と第２形態との間において変形可能に柔軟である。第１形態においては、細長開口は、そこを通路管が通過することを許容するには不十分な第１幅をもつ。第２形態においては、細長開口は、そこを通路管が通過することを許容するには十分な第２幅をもつ。第２幅は、第１幅より大きい。柔軟性のある本体は、さらに、複数の調整のための条線、すなわち調整条線を有する。調整条線は、通路管が収容室を通って伸びるようにダンパが通路管に連結される場合に、通路管の振動を抑制するように構成された長さと幅とを有する。【選択図】図１
2014009816.tif 000002
【特許請求の範囲】
【請求項１】
通路管のための振動ダンパにおいて、
収容室と、この収容室に隣接する細長開口とを区画形成し、第１形態と第２形態との間において変形可能に柔軟である本体を備え、
前記細長開口は、前記第１形態においては、そこを前記通路管が通過することを許容するには不十分な第１幅をもち、前記第２形態においては、そこを前記通路管が通過することを許容するには十分であって、前記第１幅より大きい第２幅をもち、
さらに前記本体に設けられ、前記通路管が前記収容室を通って延びるように前記振動ダンパが前記通路管に連結される場合に、前記通路管の振動を抑制するように構成された長さと幅とを有する複数の調整条線を有することを特徴とする振動ダンパ。
【請求項２】
前記調整条線は、前記本体の長さに沿って等間隔に離れて配置されていることを特徴とする請求項１に記載の振動ダンパ。
【請求項３】
複数の前記調整条線は、第１調整条線と第２調整条線とを含み、前記第１調整条線は、前記第２調整条線の第２幅より大きい第１幅をもつことを特徴とする請求項１または請求項２に記載の振動ダンパ。
【請求項４】
前記第１調整条線は、前記第２調整条線の第２長さより長い第１長さをもつことを特徴とする請求項３に記載の振動ダンパ。
【請求項５】
前記第１調整条線は、前記第２調整条線の第２長さ未満である第１長さをもつことを特徴とする請求項３に記載の振動ダンパ。
【請求項６】
前記調整条線は、前記収容室の中へ前記本体の内面から突出していることを特徴とする請求項１から請求項５のいずれかに記載の振動ダンパ。
【請求項７】
前記調整条線は、前記本体の長さ方向に沿って螺旋状の形態で延びていることを特徴とする請求項１から請求項６のいずれかに記載の振動ダンパ。
【請求項８】
前記調整条線は、前記本体の長手方向の軸と平行な方向に沿って延びていることを特徴とする請求項１から請求項６のいずれかに記載の振動ダンパ。
【請求項９】
前記調整条線は、前記本体の外面から突出していることを特徴とする請求項１から請求項８のいずれかに記載の振動ダンパ。
【請求項１０】
前記調整条線は前記本体内に凹設されていることを特徴とする請求項１から請求項９のいずれかに記載の振動ダンパ。
【請求項１１】
前記本体は第１の本体であり、前記ダンパは、前記第１の本体に接続部分によって接続された柔軟な第２の本体を備えることを特徴とする請求項１から請求項１０のいずれかに記載の振動ダンパ。
【請求項１２】
前記第１の本体および前記第２の本体は、互いに反対方向に指向されていることを特徴とする請求項１１に記載の振動ダンパ。
【請求項１３】
通路管のための振動ダンパにおいて、
外面と、
前記外面の反対であり、前記外面から離れており、前記通路管の所定長さを受け入れるように形成された収容室を区画形成する内面と、
前記外面と前記内面との間に延びている第１側面と、
前記外面と前記内面との間に延びている第２側面とを有し、前記外面と前記内面とは、前記第１側面と前記第２側面との間に前記振動ダンパの長手方向の軸に沿って延びており、前記内面は、第１端部、および前記第１端部とは反対にあり前記第１端部から離れている第２端部を有し、
前記内面の前記第１端部と前記内面の前記第２端部との間に区画形成され、前記長手方向の軸に沿って平行に延びている細長開口を有することを特徴とする振動ダンパ。
【請求項１４】
さらに、前記内面または前記外面に設けられ、前記通路管の振動を抑制するように形成された長さおよび幅を有する複数の調整条線を有することを特徴とする請求項１３に記載の振動ダンパ。
【請求項１５】
前記細長開口が第１の幅をもつ第１形態と、前記細長開口が前記第１の幅より大きい第２の幅をもつ第２形態との間において柔軟であることを特徴とする請求項１３または請求項１４に記載の振動ダンパ。
【請求項１６】
複数の前記調整条線は、前記内面から前記収容室に向けて突出し、または、前記内面に凹設され、または、前記外面から外へ突出することを特徴とする請求項１３から請求項１５のいずれかに記載の振動ダンパ。
【請求項１７】
複数の前記調整条線は、長さおよび／または幅が異なる複数の前記調整条線を含み、それぞれの前記調整条線の長さおよび／または幅は抑制されるべき振動の周波数に対応していることを特徴とする請求項１３から請求項１６のいずれかに記載の振動ダンパ。
【請求項１８】
通路管のための振動抑制方法において、
複数の調整条線をもつ本体を有する振動ダンパであって、前記本体が、前記本体の長手方向の軸に沿って延びる収容室、および前記収容室に隣接し前記長手方向の軸と平行に延びる細長開口を区画形成している前記振動ダンパを通路管に位置付ける段階と、
前記通路管が前記収容室の中へ前記細長開口を通過して入ることを許容するように形成された第１幅を前記細長開口に与えるために、前記本体を曲げられた形態へ移動する段階と、
前記通路管が前記収容室の中へ前記細長開口を通過して入るように、そして、前記本体が、前記曲げられた形態から、前記細長開口が前記通路管上に前記振動ダンパを固定するために前記第１幅より小さい第２幅をもつ解放形態に移動するように、前記振動ダンパを前記通路管に押し付けることによって前記通路管に前記振動ダンパを接続する段階とを有し、
複数の前記調整条線の各々は、前記通路管の振動を抑制するように形成された長さおよび幅を有することを特徴とする振動抑制方法。
【請求項１９】
さらに、前記通路管の振動を抑制するように形成された異なる幅、異なる長さ、および複数の前記調整条線の間の異なる間隔をもつ複数の前記調整条線を設定する段階を有し、
前記調整条線の前記幅、前記調整条線の前記長さ、および複数の前記調整条線の間の前記間隔は、前記通路管の長さ、前記通路管の直径、前記通路管の材質、および前記通路管の内容物の少なくともひとつに基づいていることを特徴とする請求項１８に記載の振動抑制方法。
【請求項２０】
さらに、前記通路管の振動を抑制するように形成された長さをもつ前記振動ダンパを設定する段階を有し、前記振動ダンパの前記長さは、前記通路管の長さより短いことを特徴とする請求項１８または請求項１９に記載の振動抑制方法。
【発明の詳細な説明】
【技術分野】
【０００１】
ここに開示される発明は、通路管に装着可能な振動ダンパに関するものであって、その装着方法および振動抑制方法にわたるものである。
【背景技術】
【０００２】
この項は、本発明に関連する背景技術を開示するが、それは公知の従来技術として開示されるものではない。
【０００３】
望ましくない流体的な騒音および振動が、冷媒通路または、その他の流体通路に、その内容物の相変化の間中に生じることがある。例えば、操舵装置のためのステアリング流体、ブレーキ流体、または燃料のための流体通路である。これらの騒音を抑えるために、ダンパを流体通路に適用することができる。ダンパは、時として、流体通路の周りに巻き付けられた高密度テープの形態、または、重い質量ダンパの形態をとる。例えば、質量が大きいテープ（ｍａｓｔｉｃ  ｔａｐｅ）とも呼ばれる制振テープまたは防振テープが、ダンパのための層としてしばしば利用される。しかし、この種の石油起源の製品は、高温において機能することが困難になり得るし、高温において損なわれることがある。質量を利用したダンパについては、それらは、流体の通路、およびその通路を有する車両に重量を付加する。
【０００４】
例えば、ＨＶＡＣ（ｈｅａｔｉｎｇ、ｖｅｎｔｉｌａｔｉｏｎ、  ａｎｄ  ａｉｒｃｏｎｄｉｔｉｏｎｉｎｇ）システムとも呼ばれる車両用空調装置を例にすると、空調装置のためのコンプレッサ（Ａ／Ｃコンプレッサ）およびヒータコアによって引き起こされたほとんどの騒音および振動は、エバポレータとヒータコアにそれぞれ関連した入口管／出口管から伝播する。入口管／出口管に付けられたホースの長さを増加させることは、ある程度まで騒音伝播を抑制するために貢献する。しかしながら、追加的な重量、強靱さ、およびホースの魅力がない外観により、高価な消音器が使用されることがある。代替的に、外観に魅力がない粘着性で、質量が大きい材料が、標準的な長さのチューブに適用されることがある。それはコストの増加を招き、有効性も限られている。
【０００５】
望ましくないＨＶＡＣ騒音の一例は、空調のためのサイクルによって生成されたシュー音（ｈｉｓｓｉｎｇ）およびゴボゴボ音（ｇｕｒｇｌｉｎｇ）である。その発生源は、通常は、温度式の膨張弁（ＴＸＶ）を通る高圧の冷媒の突然の放出と膨張である。この騒音は、エバポレータとＨＶＡＣのケースとの間の設置構造を通してしばしば増幅される。更に、騒音はエバポレータ経由で入口から出口へ伝播する。この騒音を抑制するために、エバポレータと、エバポレータとＴＸＶとの間のチューブとは、高価であるとともに、有効性が限られた質量が大きい材料によって包まれることがある。ダンパは、コンプレッサによって引き起こされた音を抑えるために、および／または空調通路を通して伝播するうなり音を押さえるために利用されることがある。
【０００６】
下記の特許文献が関連ある技術を開示している。
【先行技術文献】
【特許文献】
【０００７】
【特許文献１】米国特許出願公開第２０１０／００１３２５５号明細書
【特許文献２】米国特許第６，８０７，９８６号明細書
【特許文献３】米国特許第７，０５９，３５３号明細書
【特許文献４】米国特許第７，０６９，９５０号明細書
【特許文献５】米国特許第７，６１１，２８８号明細書
【特許文献６】米国特許第７，８４９，７０５号明細書
【発明の概要】
【発明が解決しようとする課題】
【０００８】
上述の観点において、または言及されていない他の観点において、通路管のための振動ダンパおよび振動抑制方法には、さらなる改良が求められている。
【０００９】
発明の目的のひとつは、改良された通路管のための振動ダンパおよび振動抑制方法を提供することである。
【００１０】
発明の目的の他のひとつは、抑制されるべき振動および／または騒音に適合するように調整可能な通路管のための振動ダンパおよび振動抑制方法を提供することである。
【００１１】
発明の目的の他のひとつは、通路管への装着が容易な通路管のための振動ダンパおよび振動抑制方法を提供することである。
【課題を解決するための手段】
【００１２】
この項は、発明に関する概略的な開示を与えるが、その全範囲またはその全特徴の包括的な開示ではない。
【００１３】
この開示は、通路管のための振動ダンパを提供する。ダンパは、収容室（ボア）と、この収容室に隣接している細長開口（スロット）とを区画形成する柔軟性のある本体を有する。本体は、第１形態と第２形態との間において変形可能に柔軟である。第１形態においては、細長開口は、そこを通路管が通過することを許容するには不十分な第１幅をもつ。第２形態においては、細長開口は、そこを通路管が通過することを許容するには十分な第２幅をもつ。第２幅は、第１幅より大きい。柔軟性のある本体は、さらに、複数の調整のための条線（Ｓｐｌｉｎｅｓ）、すなわち調整条線を有する。調整条線は、通路管が収容室を通って伸びるようにダンパが通路管に連結される場合に、通路管の振動を抑制するように構成された長さと幅とを有する。
【００１４】
この開示は、外面、内面、第１側面、第２側面および細長開口を有する通路管用の振動ダンパを、さらに提供する。内面は、外面の反対にあり、外面から空間的に離れている。内面は、その中に通路管のある長さを受け入れるように構成された収容室を区画形成する。第１側面および第２側面は、外面と内面との間に延びている。外面および内面の各々は、ダンパの長手方向の軸と平行に、第１側面と第２側面との間に延びている。細長開口は、内面の第１端部と内面の第２端部との間に区画形成される。第１端部は、第２端部の反対にあって、第２端部から空間的に離れている。細長開口は長手方向の軸と平行に延びている。
【００１５】
この開示は、また、通路管の振動を抑制するための方法を提供する。この方法は通路管に振動ダンパを位置付ける段階を含んでいる。振動ダンパは本体および複数の調整条線を有する。本体は収容室、および収容室に隣接している細長開口を区画形成する。収容室は本体の長手方向の軸に沿って延びる。細長開口は長手方向の軸と平行に延びる。本体は、通路管が収容室の中へ細長開口を通過して入ることを許容するように形成された第１幅を細長開口に与えるために、曲げられた形態へ移動される。曲げられた形態は、曲げが多い形態、または撓みが多い形態とも呼ぶことができる。振動ダンパは、通路管が収容室の中へ細長開口を通過して入るように、通路管上にダンパを押し付けることによって、通路管に接続される。ダンパが通路管上に押し付けられるにつれて、本体は、外力により曲げられた形態から、細長開口が通路管上に振動ダンパを固定するために第１幅より小さい第２幅をもつ解放形態に移動する調整条線の各々は、通路管の振動を抑制するように形成された長さおよび幅を有する。
【００１６】
この発明を適用可能な分野はここでの開示によって明らかにされる。この発明の概要における説明と具体的な例示とは、具体的な説明を与える用途だけを意図したものであって、本発明の技術的範囲を限定することを意図したものではない。
【図面の簡単な説明】
【００１７】
【図１】図１は、第１実施形態におけるダンパの斜視図である。
【図２】図２は、図１の２−２断面における図１のダンパの断面図である。
【図３】図３は、通路管に接続された図１のダンパの斜視図である。
【図４Ａ】図４Ａは、図１のダンパの側面図であって、通路管へのダンパの装着を許容する広げられた状態を示す。
【図４Ｂ】図４Ｂは、図１のダンパの側面図であって、通路管へ装着された状態を示す。
【図５】図５は、第２実施形態におけるダンパの斜視図である。
【図６】図６は、第３実施形態におけるダンパの斜視図である。
【図７】図７は、第４実施形態におけるダンパの斜視図である。
【図８】図８は、第５実施形態におけるダンパの斜視図である。
【図９】図９は、第６実施形態におけるダンパの斜視図である。
【図１０】図１０は、第７実施形態におけるダンパ組立体の斜視図であって、一対の通路管に装着された状態を示す。
【図１１】図１１は、第８実施形態におけるダンパ組立体の斜視図であって、４本の通路管に装着された状態を示す。
【図１２】図１２は、第９実施形態における反対面配置型のダンパ組立体の斜視図であって、一対の通路管に装着された状態を示す。
【図１３】図１３は、第１０実施形態における交互配置型のダンパ組立体の斜視図であって、４本の通路管に装着された状態を示す。
【発明を実施するための形態】
【００１８】
ここに説明された図面は、選択された実施形態を図示するためだけのものであって、すべての実用的な可能性を示すものではない。そして、ここに説明された図面は、発明の範囲を限定することを意図するものではない。複数の図面の図示にわたって、対応する参照符号は、対応する部分を指している。
【００１９】
以下において、図面を参照しながら、発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。また、後続の実施形態においては、先行する実施形態で説明した事項に対応する部分に百以上の位だけが異なる参照符号を付することにより対応関係を示し、重複する説明を省略する場合がある。以下、発明の複数の実施形態を図面を参照しながら詳細に説明する。
【００２０】
（第１実施形態）
まず、図１−図４Ｂにおいて、ここに開示される発明が適用された実施形態にかかるダンパは参照符号１０によって図示されている。ダンパ１０は振動ダンパ１０とも呼ばれる。ダンパ１０は、例えば液体通路、またはガス通路のような通路管の振動および／または騒音を抑制するために、通路管への接続のために形成される。ダンパ１０は、任意の適切な液体通路、例えばパワーステアリング装置用のステリング液通路、ブレーキ液通路、水通路、燃料通路、または、冷媒を含む空調のための通路に接続することができる。ダンパ１０は、自動車、トラック、建設機械、工場機械類、自動販売機、コーヒーメーカー、製氷機、建物用の空調システム、航空機、機関車などのほとんどの任意の機械の通路管に接続することができる。ダンパ１０は、通路管それ自身、および／または通路管の伝播内容物によって生成された振動および／または騒音を抑制する。ダンパ１０は、固い面、または鋭利な物との接触から、ダンパ１０が装着されている通路を保護するために利用することができる。
【００２１】
例えば、図１−図４Ｂに図示されるように、ダンパ１０は一般に外面１４、内面１６、第１端面１８および第２端面２０をもつ本体１２を有する。第１端面１８は、第１側面１８とも呼ばれる。第２端面２０は、第２側面２０とも呼ばれる。外面１４は、内面１６の反対にあり、内面１６から空間的に離れている。外面１４は、本体１２の長さにわたって延びるところの本体１２の長手方向の軸Ａと一般的に平行と呼びうる形態で、第１端面１８から第２端面２０に延び、拡がっている。ここで、長手方向は、ダンパ１０が区画形成する後述の収容室４２が長く延びる方向である。長手方向は、ダンパ１０が装着される後述の通路管１０２が延びる方向でもある。長手方向は、収容室４２の長さを限定するものではなく、収容室４２および通路管１０２の延在方向とも呼ぶことができる。外面１４は、第１端部２２と第２端部２４との間において、長手方向の軸Ａの周りに、または、それらの間にわたって延びている。第１端部２２および第２端部２４は、第１端面１８から第２端面２０まで、長手方向の軸と平行に延びている。外面１４は、外面１４の第１端部２２と第２端部２４との間において、おおよそ凸状である。外面１４は、凸曲面である。
【００２２】
内面１６は、本体１２の長さにわたって延びるところの本体１２の長手方向の軸Ａと一般的に平行と呼びうる形態で、第１端面１８から第２端面２０に延び、拡がっている。内面１６は、内面１６の第１端部２６と内面１６の第２端部２８との間において、長手方向の軸Ａの周りに、または、それらの間にわたって延びている。第１端部２６および第２端部２８は、第１端面１８から第２端面２０まで、長手方向の軸Ａと平行に延びている。内面１６は、第１端部２６と第２端部２８との間において、おおよそ凹状である。内面１６は、凹曲面である。内面１６の第１端部２６と内面１６の第２端部２８の間において、本体１２は細長開口３０を区画形成する。細長開口３０は長手方向の軸Ａと平行に延びる。細長開口３０は本体１２の頂点３２の反対に位置し、頂点３２と平行に延びている。頂点３２は、長手方向の軸Ａと平行に延びる線である。頂点３２は外面１４の第１端部２２と外面１４の第２端部２４とのほぼ中間にある。
【００２３】
本体１２はさらに第１リップ３４および第２リップ３６を有する。第１リップ３４は、外面１４の第１端部２２から、および内面１６の第１端部２６から延び、拡がっている。第２リップ３６は、外面１４の第２端部２４から、および内面１６の第２端部２８から延び、拡がっている。第１リップ３４および第２リップ３６は、それぞれ、第１の下部曲面３８および第２の下部曲面４０を有する。第１の下部曲面３８および第２の下部曲面４０は、細長開口３０の両側において、細長開口３０に隣接し、その細長開口３０を区画形成する側面を提供する。第１リップ３４および第２リップ３６は、本体１２の長さに沿って長手方向の軸Ａと平行に延びている。
【００２４】
内面１６は収容室（ボア）４２を区画形成する。収容室４２は、円筒で囲まれた内部空間に相当する。細長開口３０は長手方向の軸Ａと平行に延びる。収容室４２は、例えば図３に図示される円筒状の通路管１０２のような任意の適切な通路管も収容するように、大きさが設定され、形状が設定され、形成されている。収容室４２は断面においてほぼ円形であるように図示されているが、収容室４２は、四角形、六角形などの多角形のような任意の適切な断面形状をもつことができる。ダンパ１０が通路管１０２に接続される場合、通路管１０２の長手方向の軸Ｂが本体１２の長手方向の軸Ａに整合的に配列されるように、ダンパ１０が指向される。通路管１０２へのダンパ１０の結合および結合工程は、図４Ａおよび図４Ｂの図示との関連の下で説明される。
【００２５】
ダンパ１０は、さらに、複数の調整のための条線（スプライン）５０、すなわち調整条線５０を有する。この実施形態の条線５０は、本体１２の剛性および弾性を調整するための調整部分とも呼ぶことができる。互いに平行に延びる複数の条線５０は、本体５０上の広い範囲にわたって剛性および弾性を調整する。複数の条線５０は、その長さ方向に沿って、相対的に、高い剛性、高い弾性を提供する。複数の条線５０は、その幅方向に沿って、相対的に低い剛性、低い弾性を提供する。条線５０は、通路管１０２の外表面と噛み合いを提供する噛み合い部、または嵌め合い部とも呼ぶことができる。
【００２６】
図１−図４Ｂに図示されるように、複数の条線５０は収容室４２の中へ本体１２の内面１６から突出している複数の条線５０は、例えば、本体１２の造形工程の間中に、内面１６と一体的に形成されうる。本体１２の基礎部分と、複数の条線５０とは、別々に成形することができる。この場合、基礎部分に複数の条線５０を装着することにより本体１２が提供される。複数の条線５０は、例えば、接着または機械的接続などの任意の適切な手法によって、内面１６に装着することができる。複数の条線５０は、適切な高分子材料またはナイロンのような任意の合成樹脂材料、またはゴムのような任意の適切な材料を有することができる。複数の条線５０は、ダンパ１０に設けるか、設けないかを選択可能な任意の構成でもある。ダンパ１０は、複数の条線５０なしでも、振動および／または騒音を抑制するために有効である。
【００２７】
複数の条線５０は、一般に内面１６の第１端部２６と第２端部２８の間において、長手方向の軸Ａのまわりに、可変の距離、すなわち複数の異なる長さにわたって延びている。複数の条線５０の各々は、内面１６の第１端部２６と第２端部２８の間に配列された任意の２点間に延びる長さＬと、長手方向の軸Ａと平行に延びる幅Ｗをもつ。複数の異なる条線５０は、異なる長さおよび異なる幅をもつことによって提供されうる。複数の条線５０は、任意の適切な幅および長さを持つことができる。図示されるように、複数の条線５０は、第１端面１８と第２端面２０との間の長手方向の軸Ａに沿ってほぼ等しく離れて配置されている。複数の調整条線５０は、本体１２の長さに沿って等間隔に離れて配置されている。しかしながら、複数の条線５０は、任意の適切な間隔をもつように、また、任意の数をもつように提供されうる。
【００２８】
例えば、複数の条線５０において、第１条線５０Ａは、内面１６の第１端部２６から内面１６の第２端部２８までのほとんど全体に及ぶ長さＬをもつ。第１条線５０Ａの第１長さＬは、第２条線５０Ｂの第２長さより長い。第１条線５０Ａは、内面１６の第１端面２６から延び、本体１２の頂点３２に到達する前に終端している。代替的に、または追加的に、一部の条線は、他の一部の条線の長さ未満の長さをもつことができる。例えば、第１条線５０Ａは、第２条線５０Ｂの第２長さ未満である第１長さをもつことができる。第１条線５０Ａは、長手方向の軸Ａの方向に延びる幅Ｗをもつ。それは、第２条線５０Ｂの幅より大きい。複数の調整条線５０は、少なくとも２つの条線、例えば第１条線５０Ａと第２条線５０Ｂとを含み、第１条線５０Ａは、第２条線５０Ｂの第２幅より大きい第１幅をもつ。第３条線５０Ｃは、本体１２の頂点３２を横切って延びるが、第１条線５０Ａが延びるほどには、内面１６の第１端部２６または内面１６の第２端部２８のいずれかまで延びることはない。第３条線５０Ｃは第１条線５０Ａの幅Ｗと同程度の幅をもつ。
【００２９】
周波数分析の手法に基づいて、ダンパ１０は、ダンパ１０が装着されるべき通路管１０２の寸法、材質、および／または、その内容物に依存して、振動と騒音とを抑制するように調整することができる。よって、通路管１０２の振動を抑制するように形成された異なる幅、異なる長さ、および複数の調整条線５０の間の異なる間隔をもつ複数の調整条線５０を設定する段階において、調整条線５０の幅、調整条線５０の長さ、および複数の調整条線５０の間の間隔は、通路管１０２の長さ、通路管１０２の直径、通路管１０２の材質、および通路管１０２の内容物の少なくともひとつに基づいている。通路管の大きさおよび形状に関して、ダンパ１０の調整は、例えば通路管の長さ、通路管の外部の直径ＯＤ、および／または通路管の内径ＩＤに基づくことができる。ダンパ１０の調整、すなわちダンパ１０の抑制性能は、例えば、長手方向の軸Ａに沿ったダンパ１０の長さの全体、複数の条線５０の数、複数の条線５０の長さＬ、複数の条線５０の間隔、および／または複数の条線５０の幅Ｗを変えることによって設定可能である。一般に、通路管１０２の内径ＩＤおよび外径ＯＤが大きくなるほど、提供される複数の条線５０の数、および、複数の条線５０の長さＬと幅Ｗとは大きくなる。
【００３０】
抑制されるべき騒音の周波数は、ダンパ１０を調整するときにも考慮することができる。例えば、高い周波数の騒音を抑制すべき場合、本体１２は、低い周波数の騒音を抑制すべき場合よりも、長手方向の軸Ａに沿った全長がより短い形態で提供することができる。通路管１０２の振動を抑制するように形成された長さをもつ振動ダンパ１０を設定する段階において、振動ダンパ１０の長さは、通路管１０２の長さより短く設定される。複数の条線５０の配置と数に関して、複数の条線５０がより多い数提供され、より狭い間隔で提供され、より大きい幅Ｗをもつように提供され、そしてより長い長さＬをもつように提供される場合に、低い周波数の騒音および／または振動が抑制されるべき場合と比べて、振動ダンパ１０の有効性は向上する。
【００３１】
複数の調整条線５０は、長さおよび／または幅が異なる複数の調整条線を含む。それらの異なる長さおよび／または幅は、抑制されるべき周波数に応じて設定される。所定の周波数帯域をカバーするために、複数の種類の長さおよび／幅の組み合わせが利用される場合がある。それぞれの調整条線５０の長さおよび／または幅は抑制されるべき振動の周波数に対応している場合がある。
【００３２】
本体１２は、任意の適切な柔軟な材料、例えば、天然ゴムまたは合成ゴムを含む、任意の適切な高分子材料で作られることができる。柔軟な材料は、可撓性材料とも呼ぶことができる。柔軟な材料は、弾性をもつことが望ましい。本体１２の弾性は、本体１２が通路管１０２への装着のために変形することを許容するとともに、本体１２が自由状態である初期形態に向けて復元するように本体１２を付勢する。本体１２の弾性は、本体１２を通路管１０２上に保持するためにも貢献する。本体１２は、再利用材料で作られることができる。本体１２は、同様か異なる固さをもつ多様な複数の材料によって作られることができる。または、本体１２は、その全体が同一の材料によって作られうる。
【００３３】
本体１２は、解放形態と、拡張された、または曲げられた形態との間で変形可能に柔軟である。解放形態は、例えば、図１−３および図４Ｂに図示される。曲げられた形態は、例えば、図４Ａに図示される。本体１２は、解放形態に向けて復元しようとする弾性を有する。外力により曲げられた形態は、一時的なものであって、拡大形態、または強制拡大形態と呼ぶことができる。解放形態は、縮小形態、または自己復元形態と呼ぶことができる。図４Ａの曲げられた形態では、図１−３および図４Ｂの解放形態にある場合の細長開口３０の幅と比較して、内面１６の第１端部２６および第２端部２８は、増加した幅の細長開口３０を提供するために、さらに離れるように移動させられる。細長開口３０の幅は、第１端部２６と第２端部２８の間の距離である。本体１２が図４Ａの曲げられた形態に拡張される前と後とにおいて、解放形態がほぼ同じであるように、本体１２は形状を記憶する材料を含むことができる。
【００３４】
図４Ａの拡張された形態または曲げられた形態において、細長開口３０は通路管１０２を受入れ、収容するために十分な幅をもつ。特に、細長開口３０の幅は、それが通路管１０２の外径ＯＤより大きくなるように、増加される。その結果、本体１２を通路管１０２に被せるように通路管１０２上に押しつけることにより、ダンパ１０を通路管１０２に装着することができる。ダンパ１０が通路管１０２上に押しつけられるにつれて、第１リップ３４および第２リップ３６の第１の下部曲面３８および第２の下部曲面４０は、通路管１０２に接触し、それらは互いに離れるように強制的に押され、細長開口３０の幅を増加させる。
【００３５】
第１リップ３４および第２リップ３６が通路管１０２の外径ＯＤの最大の部分を通った後、細長開口３０の幅は減少し始め、収容室４２内に通路管１０２を保持するために、および、図４Ｂに図示されるように通路管１０２にダンパ１０を締め付け、固定するために、細長開口３０の幅は、図１−３および図４Ｂの解放形態にきわめて近づくか、あるいは究極的には図１−３および図４Ｂの解放形態に戻る。
【００３６】
図示されたダンパ１０は、ダンパ１０の弾力変形を利用して、通路管１０２への装着と、通路管１０２からの離脱との両方が可能である。ダンパ１０は、それ自身を弾性域で変形させて上記の脱着を可能としている。ダンパ１０は、それ自身の弾発的な復元可能な変形によって通路管１０２に装着することができるスナップオン型、またはスナップフィット型のダンパ１０とも呼ぶことができる。ここでは、本体１２は弾性を有するものとして説明されるが、本体１２は塑性域における変形によって第１形態と第２形態との間で柔軟に変形可能であってもよい。ダンパ１０は、例えば、接着剤、締め付け部材、ストラップ、バンド、クリップなどのような任意の他の適切な手法によって、通路管１０２に同じように接続することができる。
【００３７】
（第２実施形態）
発明を適用した追加的な実施形態にかかるダンパは、図５において参照符号１１０によって示されている。ダンパ１１０は、ダンパ１０に本質的に似ている。したがって、同様の部分は同じ参照番号で示されている。ダンパ１１０は、複数の条線１１２を有する。ダンパ１１０とダンパ１０の間の主要な差は、ダンパ１０の複数の条線５０に似ている複数の条線１１２の配置および延在方向である。複数の条線１１２は複数の条線５０のように内面１６から延びる。複数の条線１１２は、第１端面１８と第２端面２０の間の長手方向の軸Ａと平行に延びる内面１６の長さに沿って、複数の条線１１２が螺旋状の形態で延びるように、おおよそ指向されている。
【００３８】
例えば、複数の条線１１２のうち、第１条線１１２Ａは、第１端面１８から第２端面２０への内面１６のほぼ全長に延びている。第１条線１１２Ａは、第１条線１１２Ａの第１端部１１４が、第１リップ３４に近接し、第１条線１１２Ａの第２端部１１６が、第２端面２０の近傍の本体１２の頂点３２に近接するように、螺旋状の形態で延びている。この実施形態では、複数の調整条線１１２が、本体１２の長さ方向に沿って螺旋状の形態で延びている。第２条線１１２Ｂのような他の条線１１２は、本体１２の長さに沿って、だが外面１４のより短い長さを横切って延びる。例えば、第２条線１１２Ｂは、第１リップ３４の近傍のダンパ１１０の長さの中間点あたりから、本体１２の頂点３２に近接する第２端面２０のあたりにまで、ダンパ１１０のおよそ半分の長さにわたって延びている。複数の条線１１２は、等間隔に離れ、しかも同じ幅をもつように図示されているが、通路管１０２内に生成された振動と騒音とを十分に減衰させるために、複数の条線１１２は、任意の適切な数で提供可能であり、任意の適切な間隔で提供可能であり、任意の適切な幅で提供可能である。
【００３９】
（第３実施形態）
発明を適用した追加的な実施形態にかかるダンパは、図６において参照符号１２０によって示されている。ダンパ１２０は、ダンパ１０に本質的に似ている。したがって、同様の部分は同じ参照番号で示されている。ダンパ１２０は複数の条線１２２を有する。複数の条線１２２は本体１２の内面１６から径方向内側へ向けて突出している。ダンパ１１０とダンパ１０の間の主要な差は、ダンパ１０の複数の条線５０と他の部分では似ている複数の条線１１２の配置である。複数の条線１２２は、長手方向の軸Ａと平行に延びる長さをもつ。複数の条線１２２は、上記長さとほぼ直交し、内面１６の第１端部２６および第２端部２８の間の内面１６の一部に沿って延びる幅をもつ。複数の調整条線１１２は、本体１２の長手方向の軸Ａと平行な方向に沿って延びている。
【００４０】
複数の条線１２２は、第１端面１８と第２端面２０の間のダンパ１２０の長さに沿って複数の異なる長さをもって延びており、複数の異なる幅をもつ。例えば、複数の条線１２２における第１条線１２２Ａは、内面１６の第１端部２６から内面１６を横切るほぼ中央の点までに延びる長さをもつ。第２の条線１２２Ｂは、第１の条線１２２Ａがもつより短い長さにわたって、第１端面１８と第２端面２０との間において延びている。さらに、第２の条線１２２Ｂは第１の条線１２２Ａより小さな幅をもつ。通路管１０２の振動および／または騒音を適切に抑制するために、任意の間隔で離れた任意の数の複数の条線１２２を提供することができる。さらに、通路管１０２の振動および／または騒音を適切に抑制するために、複数の条線１２２は、任意の適切な幅または長さももつことができる。
【００４１】
（第４実施形態）
発明を適用した追加的な実施形態にかかるダンパは、図７において参照符号１３０によって示されている。ダンパ１３０は、ダンパ１０に本質的に似ている。したがって、同様の部分は同じ参照番号で示されている。ダンパ１３０は、複数の条線１３２を有する。複数の条線１３２は本体１２の外面１４から径方向外側へ突出するように延びる。調整条線１３２は、本体１２の外面１４から突出している。しかし、複数の条線１３２は、他の観点ではダンパ１０の複数の条線５０に本質的に似ている。したがって、複数の条線５０に関する説明は、一般的に複数の条線１３２に当てはまる。
【００４２】
（第５実施形態）
発明を適用した追加的な実施形態にかかるダンパは、図８において参照符号１４０によって示されている。
【００４３】
ダンパ１４０は、ダンパ１０に本質的に似ている。したがって、同様の部分は同じ参照番号で示されている。ダンパ１４０は、複数の条線１４２を有する。複数の条線１４２は本体１２の内部に凹所として形成されている。複数の条線１４２は本体１２の内部に向けて内面１６から径方向外側に向けて凹んだ溝状と呼べる形状で形成されている。調整条線１４２は本体１２内に凹設されている。しかしながら、複数の条線１４２は、他の観点ではダンパ１０の複数の条線５０に本質的に似ている。したがって、複数の条線５０に関する説明は、一般的に複数の条線１４２に当てはまる。
【００４４】
（第６実施形態）
発明を適用した追加的な実施形態にかかるダンパは、図９において参照符号１５０によって示されている。
【００４５】
ダンパ１５０は、複数の条線１５２を有する。本体１５２は第１端面１５４、第２端面１５６、第１端部１５８および第２端部（図示せず）を有する。第１端面１５４は第２端面１５６の反対に位置する。また、第１端部１５８は第２端部の反対に位置する。外面１６０は、第１端面１５４と第２端面１５６との間に延び、同様に、第１端部１５８と第２端部との間に延びている。内面１６２は外面１６０の反対に位置し、図９に図示されるように、ダンパ１５０が通路管１０２に装着された場合に、通路管１０２に接するように配置されている。
【００４６】
複数の条線１６４が第１端部１５８および第２端部から延びている。複数の条線１６４および本体１５２の内面１６２は、通路管１０２の外表面１０４の屈曲に近似するように曲がっている。複数の条線１６４は任意の数だけ設けることができる。複数の条線１６４は、等間隔に、または、不等間隔に互いに離れて配置されうる。複数の条線１６４は、様々な異なる距離で本体１５２から延びることができ、様々な異なる幅をもつことができる。例えば、複数の条線１６４における第１の条線１６４Ａは、第２の条線１６４Ｂより長く、第１端部１５８から延びることができる。したがって、第１の条線１６４Ａは、第２の条線１６４Ｂがもつより長い長さＬをもっている。第１条線１６４Ａは、さらに第２の条線１６４Ｂより大きな幅Ｗ（長手方向の軸Ａと平行な線に沿って測定された幅）をもつことができる。
【００４７】
ダンパ１０の調整の説明において上述されたように、通路管１０２において実行される周波数解析の結果に基づいて、通路管１０２の振動および／または音を抑制するように、複数の条線５０と同様に、複数の条線１６４の特定の数、幅、長さおよび間隔は専用に設定されうる。
【００４８】
（第７実施形態）
発明を適用した追加的な実施形態にかかるダンパであるダンパ組立体は、図１０において参照符号１７０によって示されている。
【００４９】
ダンパ組立体１７０は、第１ダンパ１７２Ａおよび第２ダンパ１７２Ｂを有する。第１ダンパ１７２Ａおよび第２ダンパ１７２Ｂは、ダンパ１０に各々、本質的に似ている。したがって、同様の特徴は同様の参照番号で示される。さらに、第１ダンパ１７２Ａおよび第２ダンパ１７２Ｂは互いに似ている。第２の通路管１０８より大きい外径をもつ第１の通路管１０６を収容するために、第１ダンパ１７２Ａの収容室４２は、第２ダンパ１７２Ｂの収容室４２より大きな直径を有する。
【００５０】
第１ダンパ１７２Ａは第１の接続部分１７６Ａによって第２ダンパ１７２Ｂと接続されている。第１ダンパ１７２Ａの長手方向の軸Ａおよび第２ダンパ１７２Ｂの長手方向の軸Ａ′が互いに平行に延びるように、第１の接続部分１７６Ａは、第１ダンパ１７２Ａおよび第２ダンパ１７２Ｂを接続し、それらの方向が揃うように指向させる。接続部分１７６Ａは、第１ダンパ１７２Ａと第２ダンパ１７２Ｂとの間に配置され、第１ダンパ１７２Ａを第２ダンパ１７２Ｂから離して配置する。
【００５１】
接続部分１７６Ａは、第１ダンパ１７２Ａの第２リップ３６および第２ダンパ１７２Ｂの第１リップ３４と一体的である。さらに、接続部分１７６Ａは、第１ダンパ１７２Ａの外面１４および第２ダンパ１７２Ｂの外面１４と一体的である。接続部分１７６Ａは、第１ダンパ１７２Ａの外面１４に沿った第１ダンパ１７２Ａの第２リップ３６から延びており、第１ダンパ１７２Ａの頂点３２に到着する前に終了する。同様に、接続部分１７６Ａは、第２ダンパ１７２Ｂの外面１４に沿った第２ダンパ１７２Ｂの第１リップ３４から延びており、第２ダンパ１７２Ｂの頂点３２に到着する前に終了する。
【００５２】
第１ダンパ１７２Ａおよび第２ダンパ１７２Ｂの複数の条線５０の形態により、ダンパ組立体１７０は、第１通路管１０６および第２通路管１０８から放射される振動および／または音を抑制する。接続部分１７６Ａは、さらに、第２通路管１０８に対して第１通路管１０６の整列を促進する。ダンパ組立体１７０は複数の条線５０を有するものとして説明されているが、ダンパ組立体１７０は、第１通路管１０６または第２通路管１０８から放射される振動および／または騒音を適切に抑制するために、ここに記述された他の複数の条線１１２、１２２、１３２、１４２、または１６４、さらには、他の任意の条線の構成を有することができる。ダンパ組立体１７０は、第１ダンパ１７２Ａを提供する第１の本体と、第２ダンパ１７２Ｂを提供する第２の本体とを有する。ダンパ組立体１７０は、第１の本体に接続部分１７６Ａによって接続された柔軟な第２の本体を備えるといえる。
【００５３】
（第８実施形態）
発明を適用した追加的な実施形態にかかるダンパであるダンパ組立体は、図１１において参照符号１８０によって示されている。
【００５４】
ダンパ組立体１８０は、ダンパ組立体１７０に本質的に似ているが、第１通路管１８２、第２通路管１８４、第３通路管１８６および第４通路管１８８を収容するように形成されている。それら複数の通路管の各々は、同じ内径および同じ外径をもつ。よって、ダンパ組立体１７０の第１ダンパ１７２Ａおよび第２ダンパ１７２Ｂに加えて、ダンパ組立体１８０は、第１ダンパ１７２Ａおよび第２ダンパ１７２Ｂに実質的に似ている第３ダンパ１７２Ｃおよび第４ダンパ１７２Ｄを有する。したがって、第１ダンパ１７２Ａおよび第２ダンパ１７２Ｂの説明は、第３ダンパ１７２Ｃおよび第４ダンパ１７２Ｄについての説明を提供する。もっとも、ダンパ組立体１８０の第２ダンパ１７２Ｂは、通路管１８２と同じ内径と外径とをもち、通路管１０８より大きい内径と外径とをもつ通路管１８４を収容するために、ダンパ組立体１７０の第２ダンパ１７２Ｂより大きい。
【００５５】
ダンパ組立体１８０は、さらに第１接続部分１７６Ａに加えて、第２接続部分１７６Ｂおよび第３接続部分１７６Ｃを有する。第２接続部分１７６Ｂおよび第３接続部分１７６Ｃの各々は、第１接続部分１７６Ａに本質的に似ている。第２接続部分１７６Ｂは、第２ダンパ１７２Ｂと第３ダンパ１７２Ｃとの間に配置される。第３接続部分１７６Ｃは、第３ダンパ１７２Ｃと第４ダンパ１７２Ｄとの間に配置される。第２接続部分１７６Ｂおよび第３接続部分１７６Ｃは、第３の通路管１８６と第４の通路管１８８とを互いに離すように保持するとともに、互いに所定の間隔に位置付けるように保持する。ダンパ組立体１８０は、４つの通路管１８２−１８８を収容するために４つのダンパ１７２Ａ−１７２Ｄと３つの接続部分１７６Ａ−１７８Ｃを有するが、任意の数の通路管を収容するために、任意の数のダンパ１７２および接続部分１７６を有するダンパ組立体を提供することができる。さらに、複数のダンパ１７２Ａ−１７２Ｄはほぼ同じ大きさをもつように図示されているが、複数のダンパ１７２Ａ−１７２Ｄの任意のひとつは、それに対応付けられた任意の大きさの通路管を収容するために、任意の適切な大きさをもつことができる。
【００５６】
（第９実施形態）
発明を適用した追加的な実施形態にかかるダンパである反対面配置型のダンパ組立体は、図１２において参照符号１９０によって示されている。
【００５７】
反対面配置型のダンパ組立体１９０は、ダンパ組立体１７０に似ている複数の部分を有する。したがって、同様の部分は同じ参照番号で示されている。ダンパ組立体１７０のように、反対面配置型のダンパ組立体１９０は、第１ダンパ１７２Ａおよび第２ダンパ１７２Ｂを有する。それらは第１通路管１０６および第２通路管１０８にそれぞれ接続されるために大きさが設定され、形成されている。しかしながら、第１ダンパ１７２Ａおよび第２ダンパ１７２Ｂは、互いに反対方向に指向させられている。第１ダンパ１７２Ａを提供する第１の本体と、第２ダンパ１７２Ｂを提供する第２の本体とは、それぞれの細長開口が反対方向に向けて開くように、互いに反対方向に指向されているといえる。例えば、第１ダンパ１７２Ａおよび第２ダンパ１７２Ｂは、それらの細長開口３０Ａ、３０Ｂがそれぞれに長手方向の軸Ａ、Ａ’に沿って同じ平面に延びないように、しかし長手方向の軸Ａ、Ａ’の反対側における互いに離れた平面に延びるように、指向されている。
【００５８】
接続部分１７６の代わりに、反対面配置型のダンパ組立体は第１の接続部分１９２Ａを含む複数の接続部分１９２を有する。第１の接続部分１９２Ａは、第１ダンパ１７２Ａおよび第２ダンパ１７２Ｂの間であって、それら両方に一体的である。したがって第１の接続部分１９２Ａは、第１ダンパ１７２Ａおよび第２ダンパ１７２Ｂを一連のものとして接続する。第１の接続部分１９２Ａは、第１ダンパ１７２Ａおよび第２ダンパ１７２Ｂの各々の第２リップ３６の代わりをなし、よって、さらに、細長開口３０Ａおよび細長開口３０Ｂを部分的に区画形成する。
【００５９】
反対面配置型のダンパ組立体１９０は、いくつかの適用態様において、第１ダンパ１７２Ａおよび第２ダンパ１７２Ｂを互いにより確実に接続しうる。反対面配置型のダンパ組立体１９０は、いくつかの適用態様において、第１ダンパ１７２Ａおよび第２ダンパ１７２Ｂを互いに所定の整列状態に維持しうる。
【００６０】
（第１０実施形態）
発明を適用した追加的な実施形態にかかるダンパである交互配置型のダンパ組立体は、図１３において参照符号２００によって示されている。
【００６１】
交互配置型のダンパ組立体２００は、図１２の反対面配置型のダンパ組立体１９０に似ているが、第３ダンパ１７２Ｃと第４ダンパ１７２Ｄとをさらに有している。第１ダンパ１７２Ａおよび第３ダンパ１７２Ｃは、互いに同じ方向に指向させられている。第２ダンパ１７２Ｂおよび第４ダンパ１７２Ｄは、互いに同じ方向に指向させられている。第２ダンパ１７２Ｂおよび第４ダンパ１７２Ｄは、第１ダンパ１７２Ａおよび第３ダンパ１７２Ｃに対して反対方向へ指向させられている。ここでは、複数のダンパ１７２Ａ−１７２Ｄの指向方向は、収容室に対する細長開口の開口方向、すなわち長手方向の軸に対する細長開口の位置（角度）である。
【００６２】
第２ダンパ１７２Ｂと第３ダンパ１７２Ｃとの間には第２接続部分１９２Ｂがある。第３ダンパ１７２Ｃと第４ダンパ１７２Ｄとの間には第３接続部分１９２Ｃがある。第２接続部分１９２Ｂおよび第３接続部１９２Ｃの各々は、第１接続部分１９２Ａに本質的に似ている。振動と騒音とを抑制することに加えて、交互配置型のダンパ組立体２００は、反対方向へ移動するように付勢される通路管の間の配列を維持するように構成されている。
【００６３】
以上に述べた実施形態の説明は、図示と説明のために与えられたものである。そこには、発明を限定する意図や、網羅的にする意図はない。それぞれの個別の構成要素、または特定の実施形態の特徴は、その特定の実施形態に限定されない。しかし、具体的に図示され説明されていない限り、適用可能であれば、それらは互いに入れ替え可能であり、特定の選ばれた実施形態において利用可能である。それぞれの個別の構成要素、または特定の実施形態の特徴は、多くの手法に変形可能でもある。それらの変形例は発明からの派生物として考慮されるべきではなく、すべてのそれらの変形例は発明の技術的範囲に属するべきものとして意図されている。
【符号の説明】
【００６４】
１０、１１０、１２０、１３０、１４０、１５０  振動ダンパ、
１７０、１７２、１８０、１９０、２００  ダンパ組立体（振動ダンパ）、
１２  本体、  １４、１６０  外面、  １６、１６２  内面、
１８、１５４  第１端面、  ２０、１５６  第２端面、
２２、２６  第１端部、  ２４、２８  第２端部、
３０、３０Ａ、３０Ｂ  細長開口、  ３２  頂点、
３４  第１リップ、  ３６  第２リップ、
３８  第１の下部曲面、  ４０  第２の下部曲面、  ４２  収容室、
５０、１１２、１２２、１３２、１４２、１５２、１６４、１７２  調整条線、
１０２、１０６、１０８、１８２、１８４、１８６、１８８  通路管、
１７６、１９２  接続部分。
【図１】
2014009816.tif 000003
【図２】
2014009816.tif 000004
【図３】
2014009816.tif 000005
【図４Ａ】
2014009816.tif 000006
【図４Ｂ】
2014009816.tif 000007
【図５】
2014009816.tif 000008
【図６】
2014009816.tif 000009
【図７】
2014009816.tif 000010
【図８】
2014009816.tif 000011
【図９】
2014009816.tif 000012
【図１０】
2014009816.tif 000013
【図１１】
2014009816.tif 000014
【図１２】
2014009816.tif 000015
【図１３】
2014009816.tif 000016